(57)【要約】【課題】閉鎖空間内を除湿する除湿装置において、除湿装置本体が配置できない狭い閉鎖空間でも除湿を可能にすることを目的とする。【解決手段】着脱可能な吸着デバイス３を装着した除湿装置２とし、吸着デバイス３を閉鎖空間内に設置することで閉鎖空間内を除湿し、吸着飽和した吸着デバイス３を除湿装置２に戻して再生することによって、再生した吸着デバイスを繰り返し使用し、狭い閉鎖空間の除湿を可能にする除湿装置２が得られる。【選択図】図１
2008086943.tif 000002
【特許請求の範囲】
【請求項１】
空気中の水分を除湿して乾燥空気を得る除湿装置本体と、除湿装置本体から独立した状態または一体化した状態で空気中の水分を除湿して乾燥空気を得る吸着デバイスが備えられていることを特徴とする除湿装置。
【請求項２】
除湿装置本体によって得られる乾燥空気によって吸着デバイスを再生することを特徴とする請求項１に記載の除湿装置。
【請求項３】
除湿装置本体がデシカント式除湿装置の場合において、デシカント式除湿装置内に設置されている除湿ロータの下流側に吸着デバイスを配置したことを特徴とする請求項１または２に記載の除湿装置。
【請求項４】
除湿ロータを再生するために配置されているヒータの近傍に吸着デバイスを配置したことを特徴とする請求項３に記載の除湿装置。
【請求項５】
伝熱材料が吸着デバイスの近傍に配置されていることを特徴とする請求項１乃至４のいずれかに記載の除湿装置。
【請求項６】
伝熱材料がヒータと接していることを特徴とする請求５に記載の除湿装置。
【請求項７】
吸着デバイスが塩化コバルトを含み、水分の吸着・再生によって変化する塩化コバルトの色を検知することによって吸着デバイスが再生したか否かを判定することを特徴とする請求項１乃至６のいずれかに記載の除湿装置。
【請求項８】
吸着デバイスの重量変化を検知することによって吸着デバイスが再生したか否かを判定することを特徴とする請求項１乃至６のいずれかに記載の除湿装置。
【請求項９】
吸着デバイスを再生した回数を除湿装置本体に記憶させることを特徴とする請求項１乃至８のいずれかに記載の除湿装置。
【請求項１０】
吸着デバイスを再生するための専用ヒータと専用送風機のうち少なくとも一つ以上を備えたことを特徴とする請求項１乃至９のいずれかに記載の除湿装置。
【請求項１１】
紫外線発生装置を吸着デバイスの近傍に設けたことを特徴とする請求項１乃至１０のいずれかに記載の除湿装置。
【請求項１２】
シリカゲルとクレイのうち少なくとも一つ以上の無機物を含むことを特徴とする請求項１乃至１１のいずれかに記載の吸着デバイス。
【請求項１３】
無機物を通気性材料で包含した形状にしたことを特徴とする請求項１２に記載の吸着デバイス。
【請求項１４】
除湿装置本体及び吸着デバイス以外の物体に取り付けられる構造を有することを特徴とする請求項１乃至１３のいずれかに記載の吸着デバイス。
【請求項１５】
抗菌剤と酸化チタンと触媒のうち、少なくとも一つ以上を含むことを特徴とする請求項１乃至１４のいずれかに記載の吸着デバイス。
【発明の詳細な説明】
【技術分野】
【０００１】
本発明は、圧縮機、放熱器、膨張機構、吸熱器等から構成されるヒートポンプを用いて吸放湿を行う吸放湿手段を備えた除湿装置や、吸着剤や吸収剤を用いて吸放湿を行う吸放湿手段を備えた除湿装置に関する。
【背景技術】
【０００２】
閉鎖空間内の除湿を行うために、通常一般家庭では塩化カルシウムや塩化マグネシウム等の潮解性吸湿剤を容器に充填した使い捨ての吸湿容器が広く普及している。
【０００３】
また、ヒートポンプと吸放湿手段を備えた除湿装置としては、特許文献１に示すような小型の除湿装置がある。
【０００４】
さらに、特許文献２においては、吸放湿手段を備えた除湿装置を内蔵した履物を保管する下足箱が考案されている。
【特許文献１】特開２００３−９３８３３号公報（第９頁、第１図）
【特許文献２】特開２００５−２３０３２４号公報（第６頁、第１図）
【発明の開示】
【発明が解決しようとする課題】
【０００５】
潮解性吸着剤を充填した容器を用いて閉鎖空間を除湿する場合、比較的狭い空間内にも容器を設置することができるため、下足箱、タンス、押入れ、食品保管庫、薬品保管庫、精密機器保管庫などの閉鎖空間内を容易に除湿することができる。しかしながら、潮解性吸着材を充填した容器は飽和に達すると潮解液や容器をゴミとして廃棄しなければならず繰返し使用することができないという欠点があった。
【０００６】
また、従来の特許文献１に示すような小型の除湿装置を用いて閉鎖空間を除湿する場合、可逆的な吸放湿機能を有する除湿器と送風機と除湿器を再生させる加熱手段を備えた構造を有しているため連続的に吸着再生を繰り返すことが可能になる。しかしながら、閉鎖空間内に除湿装置本体を設置するため電源コードを通すために設置場所に加工を施さなければならないため施工困難な場所によっては採用できないという欠点があった。さらに、除湿器を再生するための加熱手段が除湿装置内部に備わっているため閉鎖空間内で異常加熱を起こした場合、火災を引き起こす欠点もあった。さらに、加熱手段が閉鎖空間内に設置されているため閉鎖空間内に保管されている物品自身に縮みや歪みが生じたり、熱劣化によって品質が低下したりするとい欠点もあった。
【０００７】
また、従来の特許文献２に示すような吸着除湿装置を備えた下足箱は、下足箱内の閉鎖空間を専用に除湿するため履物を乾燥状態で保管することが可能となる。しかしながら、下足箱全体を交換しなければならないため多大な費用を要する他、設置場所によっては採用できない場合もあるという欠点があった。さらに、専用の吸着除湿装置を下足箱内に備えているため、同じ収容能力の下足箱と比較して大きくなってしまうという欠点もあった。さらに、加熱手段を下足箱内に設置しているため、異常加熱を起こした場合、火災を引き起こす可能性があるし、履物の素材によっては熱劣化を引き起こすという欠点があった。
【０００８】
本発明は上記の課題を解決するものであり、除湿装置を設置することができないほどの狭い閉鎖空間内を除湿できるようにするために、除湿装置本体から吸着デバイスを着脱可能な構造とし、閉鎖空間内に吸着デバイスを設置することで効率よく除湿し、閉鎖空間内に設置されている物品の劣化を防止すると共に、飽和吸着した吸着デバイスを除湿装置本体に戻し、除湿装置本体によって得られる乾燥空気を用いて吸着デバイスを安全・確実に再生し、再生した吸着デバイスを繰り返し使用することができる除湿装置を提供することを目的としている。
【課題を解決するための手段】
【０００９】
上記した目的を達成するために、本発明が講じた第１の課題解決手段は、空気中の水分を除湿して乾燥空気を得る除湿装置本体と、除湿装置本体から独立した状態または一体化した状態で空気中の水分を除湿して乾燥空気を得る吸着デバイスを備える構造としたものである。
【００１０】
この手段では、除湿装置本体から吸着デバイスを着脱可能にすることによって、除湿させたい閉鎖空間の大きさや場所を選ばないことや、閉鎖空間内に設置している物品の材質を選ばないことなどの自由度が向上することになるし、除湿装置本体の除湿能力が不足する場合に、吸着デバイスを一体化して使用することで、吸着量を一時的に増大させることになる。
【００１１】
また、本発明が講じた第２の課題解決手段は、上記第１の課題解決手段において、除湿装置本体によって得られる乾燥空気によって吸着デバイスを再生する構造としたものである。
【００１２】
この手段では、飽和吸着した吸着デバイスから、乾燥空気へと水分が移動し易くなる為、放湿する効率が向上することになる。
【００１３】
また、本発明が講じた第３の課題解決手段は、上記第１または第２の課題解決手段において、除湿装置本体がデシカント式除湿装置の場合、デシカント式除湿装置内に設置されている除湿ロータの下流側に吸着デバイスを配置する構造としたものである。
【００１４】
この手段では、デシカント式除湿装置内に設置されている除湿ロータを通過した直後の乾燥空気は非常に低湿度な状態になることから、飽和吸着した吸着デバイスから、乾燥空気へと水分が移動し易くなる為、放湿する効率が向上することになる。
【００１５】
また、本発明が講じた第４の課題解決手段は、上記第１乃至第３のいずれかの課題解決手段において、デシカント式除湿装置内に設置されている除湿ロータを再生するためのヒータの近傍に吸着デバイスを配置した構造としたものである。
【００１６】
この手段では、除湿ロータを再生するヒータの熱を利用することができるようになり、吸着デバイスを通過する乾燥空気の温度及び吸着デバイス自身の温度が上昇することになり、飽和吸着した吸着デバイスから、乾燥空気へと水分が移動し易くなる為、放湿する効率が向上することになる。
【００１７】
また、本発明が講じた第５の課題解決手段は、上記第１乃至第４のいずれかの課題解決手段において、伝熱材料を吸着デバイスの近傍に配置した構造としたものである。
【００１８】
この手段では、除湿装置本体内で発生する熱を伝熱材料によって吸着デバイスへと効率良く伝えることができ、また、伝熱材料自体の熱容量によって保温することができるようになり、吸着デバイスを通過する乾燥空気の温度及び吸着デバイス自身の温度が上昇し、上昇分を維持できるようになるため、飽和吸着した吸着デバイスから、水分を放湿する効率が向上することになる。
【００１９】
また、本発明が講じた第６の課題解決手段は、上記第５の課題解決手段において、伝熱材料がヒータと接した構造としたものである。
【００２０】
この手段では、除湿ロータを再生するヒータの熱が直接伝熱材料に伝わり、さらにその熱を吸着デバイスに最大限に伝えることができるようになり、また、伝熱材料の熱容量によって伝わった熱を高い状態で維持できるようになるため、通過する乾燥空気の温度及び吸着デバイス自身の温度が上昇し、上昇分を維持することになり、飽和吸着した吸着デバイスから、水分を放湿する効率を向上することになる。
【００２１】
また、本発明が講じた第７の課題解決手段は、上記第１乃至６の課題解決手段において、吸着デバイスが塩化コバルトを含み、水分の吸着・再生によって変化する塩化コバルトの色を検知することによって吸着デバイスが再生したか否かを判定する構造としたものである。
【００２２】
この手段では、塩化コバルトの無水状態と水和状態で発する色が異なることを利用し、その色度を検知する手段であり、簡便な方法で、かつ、再生効率が向上することになるし、無駄な再生エネルギーを投入することを防止することになる。
【００２３】
また、本発明が講じた第８の課題解決手段は、上記第１乃至第６のいずれかの課題解決手段において、吸着デバイスの重量変化を検知することによって吸着デバイスが再生したか否かを判定するものである。
【００２４】
この手段では、吸着デバイスに飽和吸着した水分が乾燥空気へと移動した際に変化する重量減少を検知する手段であり、比較的簡便な方法で、かつ、再生効率が向上することになるし、無駄なエネルギーを投入することを防止することになる。
【００２５】
また、本発明が講じた第９の課題解決手段は、上記第１乃至第８の課題解決手段において、吸着デバイスを再生した回数を除湿装置本体に記憶させる構造としたものである。
【００２６】
この手段では、吸着・再生を繰り返し行うことによって起こる吸着デバイスの劣化を早期に発見することができるようになり、必要に応じて吸着デバイスを交換することで、吸着効率の低下に伴う閉鎖空間の除湿効率の低下を防止することになる。
【００２７】
また、本発明が講じた第１０の課題解決手段は、上記第１乃至第９のいずれかの課題解決手段において、吸着デバイスを再生するための専用ヒータと専用送風機のうち少なくとも一つ以上を備えた構造としたものである。
【００２８】
この手段では、専用ヒータと専用送風機のうち少なくとも一つ以上を備えることによって除湿装置本体が稼動していなくても、専用ヒータや専用送風機によって吸着デバイスの温度を上昇させ、また、専用送風機によって強制的に乾燥空気が吸着デバイス内に送風されるため、吸着デバイスの再生効率が向上することになる。
【００２９】
また、本発明が講じた第１１の課題解決手段は、上記第１乃至第１０のいずれかの課題解決手段において、紫外線を発生させる光源を吸着デバイスの近傍に設ける構造としたものである。
【００３０】
この手段では、紫外線を吸着デバイスの表面に照射することによって、水分と同時に吸着した細菌や真菌やウイルスやアレルゲン等にダメージを与えて不活化すると共に、吸着した臭気成分をも分解することになる。
【００３１】
また、本発明が講じた第１２の課題解決手段は、上記第１乃至第１１のいずれかの課題解決手段において、吸着デバイスとしてシリカゲルとクレイのうち少なくとも一つ以上の無機物を含む構造としたものである。
【００３２】
この手段では、空気中の水分量が多ければ多いほど無機物の細孔内へ物理的に吸着するため、閉鎖空間内の温度条件にあまり影響されることがなくなり、除湿効率が向上することになるし、吸収剤とは異なり、再生すれば何度でも繰り返し使用ができることになるし、閉鎖空間に保管されている物品に対して乾燥空気を当てて強制的に乾燥する方法とは異なり、吸着デバイスによって徐々に水分を吸着させるため、物品の乾燥に伴う縮みや歪みを極力抑えながら乾燥できることになる。
【００３３】
また、本発明が講じた第１３の課題解決手段は、上記第１２の課題解決手段において、無機物を通気性材料で包含した構造としたものである。
【００３４】
この手段では、吸着デバイスの繰返し使用に伴って無機物が劣化し、割れや欠けによって発生する微粉末を漏洩させずに保持する効率が向上することになる。また、通気性材料によって無機物を包含することによって、自由な形状に変形させることができることから、狭い閉鎖空間を除湿する際に、閉鎖空間における吸着デバイスの外表面積が最大化し、吸着効率が向上することになる。また、飽和吸着した吸着デバイスを再生する際に、乾燥空気が吸着デバイスを通過する面積を一定に維持し、吸着デバイスへの通風効率が向上することになる。
【００３５】
また、本発明が講じた第１４の課題解決手段は、上記第１乃至第１３のいずれかの課題解決手段において、除湿装置本体及び吸着デバイス以外の物体に取り付けられる構造とするものである。
【００３６】
この手段では、閉鎖空間内において吸着デバイスを湿度の発生源に対して効率良く向き合わせることができるため空気中の水分の吸着効率が向上することになる。
【００３７】
また、本発明が講じた第１５の課題解決手段は、上記第１４の課題解決手段において、抗菌剤と酸化チタンと触媒の内少なくとも一つ以上を含んだ構造としたものである。
【００３８】
この手段では、水分と同時に吸着される様々な物質を不活化したり分解したりすることによって、吸着効率の維持に繋がるものである。
【発明の効果】
【００３９】
本願発明は、かかる構成とすることにより以下に記載されるような効果を奏するものである。
【００４０】
（イ）本願の第１の発明にかかる除湿装置によれば、空気中の水分（１）を除湿して乾燥空気（４）を得る除湿装置本体（２）と、除湿装置本体（２）から独立した状態または一体化した状態で空気中の水分（１）を除湿して乾燥空気（４）を得る吸着デバイス（３）が備えられており、除湿装置本体（２）を設置できないほどの閉鎖空間を除湿したい場合に除湿装置本体（２）から吸着デバイス（３）を取外して閉鎖空間内に設置し、閉鎖空間中の空気から直接水分（１）を吸着デバイス（３）へ吸着することができる。
【００４１】
（ロ）また、本願の第２の発明にかかる除湿装置によれば、上記（イ）に記載した効果に加えて、閉鎖空間を除湿して飽和吸着した吸着デバイス（３）を再び除湿装置本体（２）へ戻して、除湿装置本体（２）を動作させることによって、除湿装置本体（２）が造り出す乾燥空気（４）によって吸着デバイス（３）に吸着した水分（１）を乾燥空気（４）へと効率良く放湿させることができ、何度も繰り返し使用ができる。
【００４２】
（ハ）また、本願の第３の発明にかかる除湿装置によれば、上記（イ）または（ロ）に記載した効果に加えて、除湿装置本体（２）がデシカント式除湿装置の場合、デシカント式除湿装置内に設置されている除湿ロータ（６）の下流側に吸着デバイス（３）を配置しているため、飽和吸着した吸着デバイス（３）を除湿装置本体（２）に再び戻して、除湿装置本体（２）を動作させることによって、除湿ロータ（６）を通過する乾燥空気（４）が非常に低湿度の乾燥空気になるため、吸着デバイス（３）に吸着した水分（１）を乾燥空気（４）へと効率良く放湿させることができる。
【００４３】
（ニ）また、本願の第４の発明にかかる除湿装置によれば、上記（イ）乃至（ハ）に記載した効果に加えて、除湿装置本体（２）がデシカント除湿装置の場合にデシカント式除湿装置内に設置されている除湿ロータ（６）を再生するためのヒータ（５）の近傍に吸着デバイス（３）を配置しているため、ヒータ（５）から発生する熱によって乾燥空気（４）が温められると共に吸着デバイス（３）自身も温められるため、吸着デバイス（３）に吸着した湿分を乾燥空気（４）へと効率良く放湿させることができる。
【００４４】
（ホ）また、本願の第５の発明にかかる除湿装置によれば、上記（イ）乃至（ニ）に記載した効果に加えて、伝熱材料（１０）が吸着デバイス（３）の近傍に配置することで、除湿装置本体（２）から得られる熱を伝熱材料（１０）によって吸着デバイス（３）へと伝導し、保温させることができるため、吸着デバイス（３）に吸着した水分（１）を効率良く放湿させることができる。
【００４５】
（ヘ）また、本願の第６の発明にかかる除湿装置によれば、上記（ホ）に記載した効果に加えて、伝熱材料がデシカント式除湿装置内に設置されている除湿ロータ（６）を再生するためのヒータ（５）と接することで、ヒータ（５）から得られる熱を伝熱材料（１０）によって吸着デバイス（３）へと伝導し、保温させることができるため、吸着デバイス（３）に吸着した水分（１）を効率良く放湿させることができる。
【００４６】
（ト）また、本願の第７の発明にかかる除湿装置によれば、上記（イ）乃至（ヘ）に記載した効果に加えて、吸着デバイス（３）が塩化コバルトを含み、水分（１）の吸着・再生によって変化する色を検知することによって吸着デバイス（３）が再生したか否かを判定することができる。
【００４７】
（チ）また、本願の第８の発明にかかる除湿装置によれば、上記（イ）乃至（ト）に記載した効果に加えて、吸着デバイス（３）の重量変化を検知することによって吸着デバイス（３）が再生したか否かを判定することができる。
【００４８】
（リ）また、本願の第９の発明にかかる除湿装置によれば、上記（イ）乃至（チ）に記載した効果に加えて、吸着デバイス（３）を再生した回数を除湿装置本体（２）に記憶するので、繰り返し行われる吸着・再生によって劣化した吸着デバイス（３）の寿命をユーザーが知ることができる。
【００４９】
（ヌ）また、本願の第１０の発明にかかる除湿装置によれば、上記（イ）乃至（リ）に記載した効果に加えて、吸着デバイス（３）を再生する専用ヒータ（１１）及び専用送風機（１２）を設けたことで、除湿装置本体（２）が稼動していない状態でも吸着デバイス（３）を再生することができるし、除湿装置本体（２）で得られる乾燥空気（４）では吸着デバイス（３）を十分に再生できない場合においても専用ヒータ（１１）及び専用送風機（１２）によって乾燥空気（４）を造り出し、吸着デバイス（３）を十分に再生することができる。
【００５０】
（ル）また、本願の第１１の発明にかかる除湿装置によれば、上記（イ）乃至（ヌ）に記載した効果に加えて、紫外線発生装置（１３）を吸着デバイス（３）の近傍に設けたことで、水分（１）と同時に吸着された臭気成分を分解したり、細菌などを不活化したりすることができる。
【００５１】
（ヲ）また、本願の第１２の発明にかかる除湿装置によれば、上記（イ）乃至（ル）に記載した効果に加えて、吸着デバイス（３）がシリカゲル、クレイの内少なくとも一種類以上の無機物を含んでいるため、閉鎖空間内の温度・湿度の影響を受けることなく閉鎖空間内の水分（１）を吸着デバイス（３）に含まれる無機物へと吸着することができる。
【００５２】
（ワ）また、本願の第１３の発明にかかる除湿装置によれば、上記（ヲ）に記載した効果に加えて、吸着デバイス（３）中の無機物が通気性材料に包含されているため、吸着デバイス（３）の繰返し使用に伴って無機物が劣化し、割れや欠けによって発生する微粉末を飛散させずに保持することができる。また、通気性材料によって無機物を包含することによって、乾燥空気（４）が通過することができる無機物の表面積を一定に維持することができるため、吸着デバイス（３）への通風効率が向上し、結果吸着効率が向上させることができる。
【００５３】
（カ）また、本願の第１４の発明にかかる除湿装置によれば、上記（イ）乃至（ワ）に記載した効果に加えて、吸着デバイス（３）自体を、除湿装置本体（２）及び吸着デバイス（３）以外の物体に取り付けられる構造のため、閉鎖空間内において水分（１）の発生源に近接して吸着デバイス（３）を配置させることができ、吸着デバイス（３）の吸着効率が向上することになる。
【００５４】
（ヨ）また、本願の第１５の発明にかかる除湿装置によれば、上記（イ）乃至（カ）に記載した効果に加えて、吸着デバイス（３）が抗菌剤、酸化チタン、触媒の内少なくとも一つ以上を含むことで、水分（１）と同時に吸着された臭気成分を分解したり、細菌を殺菌したりすることができ、吸着デバイス（３）の水分（１）の吸着効率を維持することができる。
【発明を実施するための最良の形態】
【００５５】
以下、本発明の実施の形態について図面を参照しながら説明する。
【００５６】
（実施の形態１）
図１は、本発明の実施形態１にかかる除湿装置の概略構成を示す簡易的な模式図ある。図１に示すように、この除湿装置は、空気中の水分を除湿して乾燥空気を得る除湿装置本体と、除湿装置本体から独立した状態または一体化した状態で空気中の水分を除湿して乾燥空気を得る吸着デバイスが備えられている除湿装置である。
【００５７】
例えば一般家庭において除湿を必要とする空間として、室内全体などの大空間と下足箱のような小空間とに大別される。室内全体を除湿したい場合は、除湿装置本体を稼動することで対応できる。梅雨時などの室内の湿気対策や、洗濯物を素早く乾燥させたい場合などである。これに対して、下足箱やタンス、押入れなどは、比較的小空間ではあるが、常に閉鎖された空間で、しかも湿気の発生源となる物が収納されていることが多い。このような小空間の除湿においては、従来から吸収剤の入った使い捨て吸湿容器を使用したり、除湿装置本体と閉鎖空間とをダクト等で接続して除湿しているが、吸湿容器であるならば使用後はゴミとして廃棄しなければならないし、ダクト等で接続して除湿する場合は確実に閉鎖空間にすることができなかったり、接続自体が困難であるという課題があった。本発明の除湿装置であれば、このような小空間に対して、除湿装置本体とは独立して除湿ができる吸着デバイスを備えているため、閉鎖空間内に吸着デバイスを設置することで確実に空間内の湿度を低減することができる。
【００５８】
なお、空気中から水分を除湿して乾燥空気を得る除湿装置としては、圧縮機、放熱器、膨張機構、吸熱器等から構成されるヒートポンプを用いて吸放湿を行う吸放湿手段を備えた除湿装置や、吸着剤や吸収剤を用いて吸放湿を行う吸放湿手段を備えた除湿装置など、乾燥空気を得られる方法ならこれ以外の方式でも良く、また併用してもかまわない。
【００５９】
また、吸着デバイスと除湿装置本体の位置関係は、図１では除湿装置本体内に吸着デバイスが内蔵された位置関係に描かれているが、一体化できればどんな位置関係でも良く、除湿装置本体の外面に配置したり、除湿装置本体と吸着デバイスとをダクトなどで接続したり、確実に接続されていなくとも除湿装置本体と吸着デバイスが近接した状態で固定したりすれば良い。
【００６０】
また、除湿装置本体によって得られる乾燥空気によって吸着デバイスを再生できることから、除湿装置本体の稼動時に合わせて飽和吸着した吸着デバイスを除湿装置本体にセットし再生できるため、吸着デバイスの再生だけのためにエネルギーを投じる必要が無くなる。
【００６１】
（実施の形態２）
図２は、除湿装置本体がデシカント式除湿装置の場合において、デシカント式除湿装置内に設置されている除湿ロータの下流側に吸着デバイスを配置した除湿装置の概略構成を示す簡易的な模式図ある。
【００６２】
デシカント式除湿装置は、シリカゲルやゼオライトなどの吸着剤を担持した除湿ロータによって空気中の水分が吸着剤の細孔内へ吸着し、乾燥空気を得る仕組みになっている。従って、空気の温度に影響を受けずに空気中に存在する水分を吸着できるため、非常に低湿度な乾燥空気が得られる。また、除湿ロータの下流直後の空気が最も低湿度な状態となるため、この位置に飽和吸着した吸着デバイスを配置すれば容易に吸着デバイスから乾燥空気へと水分の移動が起こり効率の良い再生がなされることになる。
【００６３】
また、一般家庭向けに開発されたデシカント式除湿装置は、壁に固定されたエアコンとは異なり、どこにでも自由に持ち運んで使用するという特徴があることから、除湿した水分を室外に排気することが難しいため、除湿ロータに吸着した水分をヒータで加熱することによって再生し、室内空気と熱交換することによって熱交換器表面で結露させることによって水として水タンクに溜める構造となっている。このとき、再生空気を室内空気程度の温度で熱交換して冷却し結露させる必要があるため、再生空気の温度をヒータによって上昇させ、熱交換する室内空気温度との差を大きくする必要がある。
【００６４】
このようにデシカント式除湿装置の場合は、除湿した水分を水として回収するために必ずヒータを搭載していることから、飽和吸着した吸着デバイスをヒータ近傍に配置することでヒータで発生する熱を最大限に活用し効率良く吸着デバイスを再生することができる。
【００６５】
また、伝熱材料を吸着デバイスの近傍に配置することで、ヒータの熱を効率良く吸着デバイスに伝え、再生効率を向上させることができる。伝熱材料としては、熱伝導率λ（Ｗ・ｍ-1・Ｋ-1）の高い材料を選択することができ、１００Ｋにおける熱伝導率の高い材料として例えば、銅（λ＝４８２）や、銀（４５０）、金（３４５）、アルミニウム（３０２）、タングステン（２２８）などのほか、ベリリウム、コバルト、クロム、鉄、ゲルマニウム、イリジウム、マグネシウム、カリウム、リチウム、ダイヤモンド、サファイアなどでも良い。さらに、伝熱材料をヒータと接する構造とすることで、さらにヒータの熱を効率良く吸着デバイスに伝え、再生効率が最大となる。
【００６６】
また、吸着デバイスが再生したか否かを判定する手段としては、吸着デバイス表面の色度を計測する簡便な方法がある。塩化コバルトは、無水の状態で青色、二水和物の状態で紫色、六水和物の状態で桃色へと色が変化するため、吸着デバイス中に塩化コバルトを含ませれば、吸着した水分量に合わせて色が変化するため、色度計によって色の変化を検知してやれば、吸着デバイスが再生したか否かを判定することが可能になる。色度計は、吸光光度法を用い通常は白金コバルト液の色度を基準として数値化している。また、吸着デバイスの重量変化を検知することによって吸着デバイスが再生したか否かを判定しても良い。
【００６７】
また、吸着デバイスを再生した回数を除湿装置本体に記憶させ、吸着デバイスの寿命をユーザーに知らせることが可能となる。寿命に達した吸着デバイスを使用し続けると、閉鎖空間の除湿レベルの低下に繋がり、閉鎖空間内に保存されている物体の品質を保つことができなくなるため、吸着デバイスの寿命を示すことは非常に重要である。
【００６８】
図３は、吸着デバイスを再生するための専用ヒータ、専用送風機のうち少なくとも一つ以上を備えた除湿装置の概略構成を示す簡易的な模式図ある。
【００６９】
専用ヒータ、専用送風機のうち少なくとも一つ以上を備えることによって除湿装置本体が稼動していなくても、専用ヒータ及び専用送風機によって吸着デバイスの温度を上昇させることができ、また、専用送風機によって強制的に乾燥空気を吸着デバイス内に送風することができるため、吸着デバイスの再生効率が向上することになる。
【００７０】
図４は、紫外線発生装置を吸着デバイスの近傍に設けた除湿装置の概略構成を示す簡易的な模式図ある。
【００７１】
紫外線を発生させる光源を吸着デバイスの近傍に設け、空気中の水分と同時に吸着した臭気成分を分解したり、細菌・真菌・ウイルス・アレルゲンなどを不活化したりすることができる。紫外線を発生させる光源としては、ブラックライト、殺菌灯、冷陰極管、蛍光灯、紫外線ＬＥＤなどが挙げられる。一般に、臭気成分を分解するのに必要な紫外線量は、細菌を殺菌するのに必要なそれよりも高い。
【００７２】
図示はしないが、吸着デバイスとしてシリカゲル、クレイのうち少なくとも一つ以上の無機物を含ませると良い。シリカゲルとしては、ＪＩＳ規格のＡ型シリカゲル、ＲＤ型シリカゲル、ＩＤ型シリカゲル、Ｂ型シリカゲルなどがあり、比較的吸着速度を要求しない場合は、粒状シリカゲルを用いることができ、吸着速度を要求する場合は粉末状シリカゲルをハニカム成型体などの表面に担持しても良いし、シリカゲル自体をバインダ等と混合して押出成型体として用いることができる。また、シリカゲルのみならず、吸着剤の細孔容積が大きなメソポーラスマテリアル、アルミナ、シリカアルミナ、モレキュラシーブ（合成ゼオライト）などの吸着剤を用いても良い。クレイとしては、カオリン系としてカオリナイト、ナクライト、ディッカイト、ハロイサイト等があり、アンティゴライト系ではアンティゴライト、アメサイト、クロンステダイト等があり、パイロフィライト系ではパイロフィライト、滑石等があり、雲母型粘土鉱物としてはイライト、海縁石、セラドナイト、セリサイト、白雲母等があり、スメクタイト系ではモンモリロナイト、バイデライト、ノントロナイト、サポナイト、ヘクトナイト等があり、バーミキュライト系ではバーミキュライト等があり、縁泥石系では縁泥石（クロライト）等の粘土系多孔質体がある。
【００７３】
さらに吸着デバイスとして、無機物を通気性材料で包含した形状にすると良い。通気性材料としては、ＯＰＰ／ＰＥ、紙／ＰＥ、不織布／ＰＥなどがある。また、これらのフイルムに針穴で小孔を設け、その数と大きさで吸湿速度を調整することも可能である。
【００７４】
さらに、吸着デバイスの構造として、除湿装置本体及び吸着デバイス以外の物体に取り付けられる構造にすると、湿分の発生源近傍に吸着デバイスを固定できるため、より短時間で除湿し、かつ低湿度な状態を維持することが可能となる。取り付ける方法としては、物体に吸着デバイスを引掛ける構造としても良いし、物体表面に貼り付ける構造としても良い。
【００７５】
また、吸着デバイスとして、抗菌剤、酸化チタン、触媒の内少なくとも一つ以上を含むことで、水分と同時に吸着した臭気成分を分解したり、細菌などを不活化したりすることができるようになる。
【００７６】
抗菌剤としては、吸着再生に伴う劣化の少ない無機系抗菌剤が好適で、銀、銅、亜鉛、ニッケル、クロムから選ばれる少なくとも一つ以上の金属が良い。
【００７７】
酸化チタンとしては、二酸化チタンのほか、含水酸化チタン、水和酸化チタン、メタチタン酸、オルトチタン酸、水酸化チタン、酸素欠損型酸化チタンなどが挙げられる。光触媒活性を有していれば結晶形については特に制限はなく、無定形、アナタース形、ルチル形、ブルカイト形のいずれでも良い。ルチル型とアナターゼ型酸化チタンの組み合わせなど、結晶形の違う成分を複合しても良い。
【００７８】
触媒としては、銅、コバルト、マンガン、銀、亜鉛、ニッケル、クロムなどの金属元素から成る触媒が好適である。これら触媒を選択することによって室温から比較的低温度の加熱によって機能させることができるため投入するエネルギーを少なくすることが可能になる。
【００７９】
（実施例１）
下足箱内に保管している靴の中にシリカゲルを主成分とした吸着デバイスを１週間設置し、吸着デバイスに水分を約８ｇ吸着させた。その後、定格出力６Ｌ／日のデシカント式除湿機の吹出し口に水分を吸着させた吸着デバイスを設置し、２８℃４５％ＲＨの室内で、除湿運転を行った。運転条件としては、処理風量を２．７ｍ3／ｍｉｎ一定、再生出力を３９５Ｗ一定とした。結果を図５に示す。除湿運転開始から６時間程度でほぼ再生が完了していることが確認された。衣類乾燥などで除湿機本体を運転する時間がおよそ６時間であることから、除湿機本体の一回の稼動で吸着デバイスをほぼ再生できることが確認された。
【産業上の利用可能性】
【００８０】
以上のように本発明にかかる除湿装置は、着脱可能な吸着デバイスが備えられた構成で、除湿装置本体を配置することができない狭い空間においても除湿を行い得るものであり、また飽和吸着した吸着デバイスを除湿装置本体内に戻すことで再生し繰り返し使用し得るものであり、除湿機、乾燥機、空調機、溶剤回収装置等の除湿機能が所望される用途に適している。
【図面の簡単な説明】
【００８１】
【図１】本発明の実施形態１にかかる除湿装置の概略構成を示した模式図
【図２】本発明の実施形態２にかかるデシカント式除湿装置の除湿ロータの下流側に吸着デバイスを配置した構造を示した模式図
【図３】同、除湿装置の吸着デバイスを再生するための専用ヒータ及び専用送風機を配置した構造を示した模式図
【図４】同、除湿装置の吸着デバイスの近傍に紫外線発生装置を配置した構造を示した模式図
【図５】同、除湿装置の吸着デバイスの再生試験結果を示した図
【符号の説明】
【００８２】
１    水分
２    除湿装置本体
３    吸着デバイス
４    乾燥空気
５    ヒータ
６    除湿ロータ
７    熱交換器
８    水タンク
９    再生空気
１０  伝熱材料
１１  専用ヒータ
１２  専用送風機
１３  紫外線発生装置
【図１】
2008086943.tif 000003
【図２】
2008086943.tif 000004
【図３】
2008086943.tif 000005
【図４】
2008086943.tif 000006
【図５】
2008086943.tif 000007